(57)【要約】【課題】  電子ペーパを任意の場所で恰も紙のように扱いながら、電子ペーパが表示すべき画像の画像データを電子ペーパに供給できるようにする。【解決手段】  メモリクリップ２のＣＰＵ５１は、スイッチ２９がメモリクリップ２に対する使用時操作を検出するとインタフェース回路５５から準備信号を送信する。電子ペーパ１において受信された準備信号はアンテナ１３に接続されたコイル及び整流器に通電され、電源供給回路４５に一定値以上の電圧が発生するとＣＰＵ４１が起動する。ＣＰＵ４１は、起動すると同時に許容信号を送信する。ＣＰＵ５１は許容信号を受信すると、選択された画像データが表示条件を満たす場合のみ、メモリ５２内に記憶している選択された画像データをインタフェース回路５５を介して送信する。ＣＰＵ４１は、画像データを受信するとこれに基づく画像を表示画面１２に表示する。【選択図】  図３
2006017907.tif 000002
【特許請求の範囲】
【請求項１】
周縁部の少なくとも一部を除く範囲に表示部を有し入力された画像データに基づく画像を前記表示部に表示するシート状の電子ペーパとともに画像表示システムを構成する記録媒体であって、
シート体の周縁部の一部に係合する係合部と、
外部装置から画像データの入力を受ける入力手段と、
前記入力手段に入力された画像データを記憶する第１のメモリと、
前記第１のメモリに記憶された画像データの表示条件を記憶する第２のメモリと、
前記第１のメモリに記憶された画像データを前記電子ペーパに送信する送信手段と、
前記係合部に対する操作を検出する検出手段と、
前記検出手段の検出結果および前記表示条件に基づいて送信手段による画像データの送信を制御する制御手段と、を備えることを特徴とする記録媒体。
【請求項２】
前記第２のメモリは、画像データごとの表示条件を記憶することを特徴とする請求項１に記載の記録媒体。
【請求項３】
前記表示条件は、前記画像データの前記電子ペーパへの送信の許可回数であり、
前記第１のメモリに記憶された画像データが前記送信手段によって送信された回数を計数する計数手段をさらに備え、
前記制御手段は、前記計数手段によって計数された回数が前記許可回数未満である場合にのみ前記送信手段によって前記画像データを送信することを特徴とする請求項１または２に記載の記録媒体。
【請求項４】
前記表示条件は、前記画像データの前記電子ペーパへの送信の許可期間であり、
現在時刻を取得するクロック手段をさらに備え、
前記制御手段は、前記クロック手段によって取得された現在時刻が前記許可期間内である場合にのみ前記送信手段によって前記画像データを送信することを特徴とする請求項１または２に記載の記録媒体。
【発明の詳細な説明】
【技術分野】
【０００１】
この発明は、ペーパライクディスプレイ又はリライタブルペーパを含む電子ペーパとともに画像表示システムを構成し、電子ペーパに表示させるべき画像の画像データを記憶する記録媒体に関する。
【背景技術】
【０００２】
近年、画像を表示する表示手段としてペーパライクディスプレイ又はリライタブルペーパとも呼ばれる電子ペーパを用いた画像表示システム（電子ペーパシステム）が多数提案されている（例えば、特許文献１参照。）。電子ペーパは、携帯性や視認性に優れた紙の特性と表示内容を繰り返し書き換えることができるディスプレイの特性とを兼ね備え、外部装置から書き込まれた画像情報を表示する可撓性を有する薄型の表示手段である。
【特許文献１】特開２００２−２４４６２０公報
【発明の開示】
【発明が解決しようとする課題】
【０００３】
しかしながら、従来の電子ペーパシステムでは、電子ペーパが表示すべき画像の画像データを電子ペーパに供給する際にパーソナルコンピュータや専用の大型書込装置を用いて電子ペーパに画像情報を書き込むようにしており、パーソナルコンピュータや専用の大型書込装置が設置されている所定の場所でしか電子ペーパに画像データを供給することができなかった。
【０００４】
この発明の目的は、電子ペーパを任意の場所で恰も紙のように扱いながら、電子ペーパが表示すべき画像の画像データを電子ペーパに供給できる記録媒体を提供することにある。
【課題を解決するための手段】
【０００５】
この発明の記録媒体は、上述の課題を解決するために以下のように構成される。
【０００６】
（１）周縁部の少なくとも一部を除く範囲に表示部を有し入力された画像データに基づく画像を前記表示部に表示するシート状の電子ペーパとともに画像表示システムを構成する記録媒体であって、シート体の周縁部の一部に係合する係合部と、外部装置から画像データの入力を受ける入力手段と、前記入力手段に入力された画像データを記憶する第１のメモリと、前記第１のメモリに記憶された画像データの表示条件を記憶する第２のメモリと、前記第１のメモリに記憶された画像データを前記電子ペーパに送信する送信手段と、前記係合部に対する操作を検出する検出手段と、前記検出手段の検出結果および前記表示条件に基づいて送信手段による画像データの送信を制御する制御手段と、を備えることを特徴とする。
【０００７】
この構成においては、外部装置から記録媒体に入力されて記録媒体の第１のメモリに記憶された画像データが、記録媒体の係合部をシート体の周縁部の一部に係合させるための操作がなされた時であって表示条件が許容する時に、記録媒体から電子ペーパへ送信される。電子ペーパは、記録媒体から送信された画像データを受信すると受信した画像データに基づく画像を表示部に表示する。
【０００８】
したがって、記録媒体の係合部を電子ペーパの周縁部の一部に係合させるための操作が行われると、表示条件が許容する場合には記録媒体に予め記録されている画像データが記録媒体から電子ペーパへ送信されて、送信された画像データに基づく画像が電子ペーパの表示部に表示される。記録媒体の係合部を電子ペーパの周縁部の一部に係合させるための操作が行われても、表示条件が許容しない場合は、記録媒体に予め記録されている画像データは記録媒体から電子ペーパへ送信されない。
【０００９】
（２）前記第２のメモリは、画像データごとの表示条件を記憶することを特徴とする。
【００１０】
この構成においては、第１のメモリに複数の画像データが記憶されている場合でも、画像データごとの表示条件が第２のメモリに記憶される。
【００１１】
（３）前記表示条件は、前記画像データの前記電子ペーパへの送信の許可回数であり、前記第１のメモリに記憶された画像データが前記送信手段によって送信された回数を計数する計数手段をさらに備え、前記制御手段は、前記計数手段によって計数された回数が前記許可回数未満である場合にのみ前記送信手段によって前記画像データを送信することを特徴とする。
【００１２】
この構成においては、画像データの電子ペーパへの送信の許可回数が表示条件として予め設定される。また、各画像データが電子ペーパへ送信された回数が計数手段によって計数され、画像データが電子ペーパへ送信された回数が許可回数未満である場合にのみ、電子ペーパへ画像データが送信され、許可回数以上である場合は電子ペーパへ画像データが送信されない。
【００１３】
（４）前記表示条件は、前記画像データの前記電子ペーパへの送信の許可期間であり、現在時刻を取得するクロック手段をさらに備え、前記制御手段は、前記クロック手段によって取得された現在時刻が前記許可期間内である場合にのみ前記送信手段によって前記画像データを送信することを特徴とする。
【００１４】
この構成においては、画像データの電子ペーパへの送信の許可期間が表示条件として予め設定される。また、画像データが電子ペーパへ送信される当時の現在時刻がクロック手段によって取得される。そして、現在時刻と許可期間とが比較され、現在時刻が許可期間内である場合にのみ、電子ペーパへ画像データが送信され、許可期間外である場合は電子ペーパへ画像データが送信されない。
【発明の効果】
【００１５】
この発明によれば、以下の効果を奏することができる。
【００１６】
（１）記録媒体の係合部を電子ペーパの周縁部の一部に係合させるための操作を行うことによって、表示条件が許容する場合にのみ記録媒体に予め記録されている画像データを記録媒体から電子ペーパへ送信し、送信された画像データに基づく画像を電子ペーパの表示部に表示させることができる。これによって、電子ペーパを任意の場所で恰も紙のように扱いながら、電子ペーパが表示すべき画像の画像データを電子ペーパに供給できる。また、表示条件が許容する場合にのみ記録媒体から電子ペーパへ画像データを送信するようにしたことによって、記録媒体に記憶された画像データの機密性を高めることができる。
【００１７】
（２）画像データごとの表示条件が第２のメモリに記憶されるので、画像データごとに異なる表示条件に基づいて画像データの送信を制御することができる。
【００１８】
（３）画像データの電子ペーパへの送信を許可する回数を制限することで、画像データの機密性を高めることができる。
【００１９】
（４）画像データの電子ペーパへの送信を許可する期間を制限することで、画像データの機密性を高めることができる。
【発明を実施するための最良の形態】
【００２０】
以下に、この発明の実施形態について図面に基づいて説明する。図１は、この発明の実施形態に係る記録媒体とともに画像表示システムを構成する電子ペーパの平面図である。電子ペーパ１は、可撓性を有する矩形のシート体であり、周縁部１１を除く部分に表示画面（この発明の表示部である。）１２が形成されている。表示画面１２は、ツイスティングボールディプレイ、電気泳動ディスプレイ、電解析出・溶解式ティスプレイ又は有機ＥＬディスプレイ等の何れかによって構成される。周縁部１１は、電子ペーパ１の周囲の全周にわたって所定幅で形成されているが、電子ペーパ１の周囲の少なくとも一部に形成されていれば充分である。この周縁部１１には、この発明の受信手段に含まれるアンテナ１３が備えられている。
【００２１】
図２は、上記画像表示システムを構成する記録媒体であるメモリクリップを示す図である。図２（Ａ）はメモリクリップの前面図であり、図２（Ｂ）及び図２（Ｃ）はそれぞれ図２（Ａ）におけるＸ１−Ｘ２部分及びＹ１−Ｙ２部分の側面断面図である。メモリクリップ２は、本体２１と把持体２２とからなる。本体２１の背面には凹部２１ｂが形成されており、把持体２２の前面にはストッパ２２ｂが突出している。ストッパ２２ｂの前端は凹部２１ｂに嵌入している。本体２１の背面及び把持体２２の前面のそれぞれにおける凹部２１ｂ及びストッパ２２ｂの上方から軸支部２１ａ，２２ａが突出しており、軸支部２１ａ，２２ａを貫通するピン２３によって本体２１及び把持体２２が互いに回動自在にされている。
【００２２】
本体２１の背面の下端部及び把持体２２の前面の下端部における互いに対向する位置には、スイッチ２９を構成する接点がそれぞれ設けられている。スイッチ２９は、この発明の検出手段であり、本体２１の下端部と把持体２２の下端部との開閉状態を検出する。把持体２２の前面におけるストッパ２２ｂの下部には、アンテナ３０が配置されている。アンテナ３０は、この発明の送信手段に含まれる。
【００２３】
ピン２３には捩じりバネ２４が外嵌しており、捩じりバネ２４の両端から本体２１の背面及び把持体２２の前面のそれぞれの上部に互いに離間する方向に弾性力が作用している。これによって、メモリクリップ２に外力が作用していない状態で、本体２１の背面及び把持体２２の前面のそれぞれの下端部が互いに当接する方向に付勢されている。この状態から、本体２１の前面の上部と把持体２２の背面の上部とが手指によって捩じりバネ２４の弾性力に抗して互いに近接する方向に押圧されると、本体２１の背面の下端部と把持体２２の前面の下端部とが互いに離間し、この状態がスイッチ２９によって検出される。
【００２４】
即ち、メモリクリップ２に対して通常のペーパクリップによってシート体を把持する場合と同様の操作（使用時操作）がされたことが、スイッチ２９によって検出される。一例として、メモリクリップ２に対して使用時操作がされ、本体２１の背面の下端部と把持体２２の前面の下端部とが互いに離間した際に、スイッチ２９がオン信号を出力する。本体２１の背面の下端部及び把持体２２の前面の下端部が、この発明の係合部に相当する。また、上記使用時操作が、この発明の係合部に対する操作である。
【００２５】
本体２１の前面には、表示器２５及び選択キー２６が設けられている。選択キー２６は、上下左右のカーソルキーと確定キーとからなり、電子ペーパ１に送信すべき画像データの選択操作を受け付ける。メモリクリップ２は、複数の画像データを記憶している場合、選択キー２６によって選択された画像データを電子ペーパ１へ送信する。選択キー２６によって選択された画像データの番号が表示器２５に表示される。
【００２６】
また、本体２１の一方の側面からは接続端子２７が突出している。この接続端子２７は、一例としてＵＳＢコネクタによって構成されており、この発明の入力手段に含まれる。本体２１の内部には、この発明の制御手段に相当する制御部が内蔵されており、表示器２５、選択キー２６、接続端子２７及びスイッチ２９は制御部に電気的に接続されている。また、本体２１の制御部は、フレキシブル基板２８を介して把持体２２のアンテナ３０に電気的に接続されている。
【００２７】
図３は、上記画像表示システムの構成を示すブロック図である。画像表示システム１０は、上述のように、電子ペーパ１とメモリクリップ２とによって構成されている。電子ペーパ１は、メモリ４２、インタフェース回路４３及び表示制御回路４４が接続されたＣＰＵ４１を備えている。インタフェース回路４３は、アンテナ１３とともにこの発明の受信手段を構成しており、メモリクリップ２から送信された画像データをアンテナ１３を介して受信する。メモリ４２は、インタフェース回路４３が受信した画像データを記憶する。ＣＰＵ４１は、メモリ４２に記憶されている画像データを読み出し、画像データに基づいて表示データを作成して表示制御回路４４に出力する。表示制御回路４４は、ＣＰＵ４１から入力された表示データに基づいて、メモリクリップ２から送信された画像データの画像を表示画面１２に表示する。ＣＰＵ４１及び表示制御回路４４には、電源供給回路４５から電源が供給される。
【００２８】
メモリクリップ２は、メモリ５２、ＲＯＭ５７、表示制御回路５３、インタフェース回路５４，５５、選択キー２６及びスイッチ２９が接続されたＣＰＵ５１を備えている。インタフェース回路５４は、ＵＳＢコネクタ２７とともにこの発明の入力手段を構成しており、ＵＳＢコネクタ２７を介して外部装置から画像データの入力を受ける。外部装置は、画像データを処理することができる装置であり、例えば、パーソナルコンピュータ、携帯情報端末、ＰＤＡ、デジタルカメラ又はファクシミリ装置等の装置である。メモリクリップ２は、ＵＳＢコネクタ２７において外部装置に接続された状態で、少なくとも画像データの入力を受ける。なお、インタフェース回路５４は、メモリクリップ２が記憶している画像データを外部装置に出力するものであってもよい。
【００２９】
メモリ５２は、この発明の第１のメモリに相当し、インタフェース回路５４から入力された画像データを記憶する。また、メモリ５２内に、画像データごとの表示条件を記憶するメモリ領域５２ａ、および、メモリ５２に記憶された画像データがインタフェース回路５５を介して送信された回数を記憶する回数記憶領域５２ｂが設けられる。画像データとともに入力された表示条件はメモリ領域５２ａに記憶される。メモリ領域５２ａは、この発明の第２のメモリに相当する。また、メモリ５２に記憶された画像データがインタフェース回路５５を介して送信された回数を計数するＣＰＵ５１およびその計数された回数を記憶する回数記憶領域５２ｂは、この発明の計数手段に相当する。なお、第１のメモリに相当するメモリ領域５２ａおよび計数手段に含まれる回数記憶領域５２ｂを、第１のメモリに相当するメモリ５２とは別に設けてもよい。
【００３０】
ＣＰＵ５１は、メモリ５２が記憶している画像データのファイル数を計数し、計数したファイル数を表示制御回路５３を介して表示器２５に表示する。なお、ＣＰＵ５１は、操作キー２６が操作された際に表示器２５にファイル数を表示するものとすることができる。使用者は、操作キー２６を操作した際に、表示器２５にファイル数が表示されるか否かによって、メモリクリップ２に画像データが記憶されているか否かを確認できる。また、メモリクリップ２の本体２１と把持体２２との間に電子ペーパ１が把持されていない状態で所定時間が経過した際に表示器２５の表示を終了し、電力消費量を低減するようにしてもよい。
【００３１】
インタフェース回路５５は、この発明の送信手段であり、アンテナ３０を介して画像データを送信する。ＣＰＵ５１は、スイッチ２９が本体２１の下端部と把持体２２の下端部との開放状態を検出した際、又は、スイッチ２９が本体２１と把持体２２との間に電子ペーパ１が把持されたことを検出した際に、表示器２６に表示している数値に対応するファイル番号の画像データをインタフェース回路５５を介してアンテナ３０から送信する。
【００３２】
ＣＰＵ５１、表示制御回路５３及びインタフェース回路５５には、バッテリを備えた電源供給回路５６から電源が供給される。
【００３３】
また、メモリクリップ２は、現在の年月日を含む時刻を取得するための手段を備えている。
【００３４】
以上の構成により、画像表示システム１０は、電子ペーパ１の表示画面１２に表示させるべき画像の画像データを外部装置からメモリクリップ２に一旦格納した後に、メモリクリップ２から電子ペーパ１に伝送する。なお、電子ペーパ１及びメモリクリップ２は公知の電磁結合方式のＲＦＩＤ（Radio Frequency Identification）システムを備えており、電子ペーパ１にＩＣタグの機能が搭載され、メモリクリップ２にリーダライタ機能が搭載されている。
【００３５】
メモリクリップ２は、インタフェース回路５５と電子ペーパ１のインタフェース回路４３との間でデータの送受信を行い、特定の電子ペーパ１を選択して画像データを送信する。したがって、複数枚の電子ペーパ１が近接している場合でも、予め定められた特定のペーパ１に対してメモリクリップ２から画像データが伝送される。
【００３６】
図４は、上記画像表示システムにおける画像データの伝送手順を示すフローチャートであり、図４（Ａ）はメモリクリップにおける処理手順を示し、図４（Ｂ）は電子ペーパにおける処理手順を示す。メモリクリップ２のＣＰＵ５１は、スイッチ２９がメモリクリップ２に対する使用時操作を検出することを待機しており（Ｓ１）、スイッチ２９がオン信号を出力するとインタフェース回路５５から準備信号を送信する（Ｓ２）。この準備信号は、上述のＲＦＩＤシステムにおいてリーダライタからＩＣタグにデータの送信開始を通知する信号である。この準備信号は、メモリクリップ２が対応する特定の電子ペーパ１に予め割り当てられた周波数の電力搬送波である。
【００３７】
準備信号を送信したメモリクリップ２に近接して対応する電子ペーパ１が位置していると、準備信号がその電子ペーパ１のアンテナ１３によって受信される。受信された準備信号はアンテナ１３に接続されたコイルに通電され、コイルに接続された整流器に電流が流れる。整流器に所定値以上の電流が流れると、電源供給回路４５に一定値以上の電圧が発生し、電子ペーパ１のＣＰＵ４１が起動する。
【００３８】
電子ペーパ１のＣＰＵ４１は、起動すると同時に許容信号を送信する（Ｓ１１）。この許容信号は、上述のＲＦＩＤシステムにおいてＩＣタグからリーダライタにデータの受信可能状態を通知する信号である。
【００３９】
メモリクリップ２のＣＰＵ５１は、準備信号を送信した後に所定時間内において許容信号が送信されるのを待機しており（Ｓ３，Ｓ４）、電子ペーパ１から送信された許容信号を受信すると、メモリ５２内に記憶している画像データをインタフェース回路５５を介して送信する（Ｓ３→Ｓ５）。
【００４０】
電子ペーパ１のＣＰＵ４１は、インタフェース回路４３を介してメモリクリップ２から送信された画像データを受信すると（Ｓ１２）、受信した画像データをメモリ４２に順次格納し（Ｓ１３）、画像データの格納を完了すると書込完了信号を送信する（Ｓ１４）。この後、ＣＰＵ４１は、メモリ４２内の画像データに基づいて表示データを作成し（Ｓ１５）、作成した表示データに基づく画像を表示画面１２に表示する（Ｓ１６）。
【００４１】
なお、メモリクリップ２のＣＰＵ５１は、画像データとともにその属性データを送信する。属性データとは、画像のサイズを表す情報、テキスト画像に関連するフォント、色、罫線及びファイル名等の情報、画像作成時のアプリケーションソフトの種類を表す情報、並びに、圧縮方式を表す情報等である。
【００４２】
以上の処理により、通常のペーパクリップで紙の周縁部の一部を把持する操作と同様に、電子ペーパ１の周縁部１２の一部をメモリクリップ２によって把持することにより、メモリクリップ２が記憶している画像データに基づいて電子ペーパ１の表示画面１２に画像を表示させることができる。
【００４３】
なお、この実施形態では電子ペーパ１の周縁部１２の全周にわたってアンテナ１３を配置しているので、電子ペーパ１の周縁部１２における何れの位置をメモリクリップ２によって把持しても、メモリクリップ２が記憶している画像データに基づいて電子ペーパ１の表示画面１２に画像を表示させることができる。
【００４４】
但し、通常は、横書画像の場合には紙の左上部又は左辺中央部がペーパクリップによって把持され、縦書画像の場合には紙の右上部又は右辺中央部がペーパクリップによって把持されることを考慮すれば、少なくとも電子ペーパ１の周縁部１２における図５に示す位置にアンテナ１３を配置しておけばよい。この場合に、電子ペーパ１の周縁部１２においてアンテナ１３が配置されている位置に、例えば、メモリクリップ２の外観図を図示しておくことにより、メモリクリップ２によって把持すべき位置を認識できるようにしてもよい。この図によってメモリクリップ２を使用可能な電子ペーパ１であることを認識することもできる。
【００４５】
また、メモリクリップ２から送信される準備信号を受信できる位置にアンテナ１３が存在する状態であれば、その位置でメモリクリップ２に対する使用時操作が行われればよく、必ずしも現実にメモリクリップ２によって電子ペーパ１の周縁部１２の一部が把持される必要はない。
【００４６】
さらに、重ねられた複数枚の電子ペーパ１をメモリクリップ２によって把持した場合のように、メモリクリップ２から複数枚の電子ペーパ１のそれぞれに個別に画像データを送信する場合には、各電子ペーパ１に固有の認証データを予め設定しておき、以下の手順でメモリクリップ２と電子ペーパ１との間の通信を行う。
【００４７】
まず、メモリクリップ２から単一の認証データを準備信号とともに送信する。準備信号を受信して起動した電子ペーパ１は、受信した認証データが自己の認証データに一致する場合にのみ自己の認証データを含む許容信号をメモリクリップ２に送信する。メモリクリップ２は、受信した許容信号に含まれる認証データに対応する画像データをその認証データとともに送信する。電子ペーパ１は、受信した画像データに添付された認証データが自己の認証データに一致する場合にのみ、受信した画像データに基づく画像を表示する。
【００４８】
加えて、電子ペーパ１の電源供給部４５は、メモリクリップ２からの電力搬送波のみならず、独自のシート状バッテリを備えること、太陽電池を備えること、又は、メモリクリップ２に設けられた給電用接点に接合する接点を備えることによっても電力の供給を受けることができる。
【００４９】
図６は、上記画像表示システムにおけるメモリクリップの画像データ送信処理の詳細を示すフローチャートである。図７は、メモリ領域５２ａに記憶される画像データの表示条件の一例を示す図である。この実施形態では、画像データＤｉの表示条件として、各画像データＤｉの表示を許可する許可回数Ｐｉが画像データＤｉごとに設定され、メモリ領域５２ａに記憶されている。また、メモリ５２に記憶されている各画像データがインタフェース回路５５を介して電子ペーパ１へ送信された回数（表示回数Ｍｉ）が、ＣＰＵ５１によって計数され回数記憶領域５２ｂに記憶されている。
【００５０】
ＣＰＵ５１は、メモリ５２に記憶している画像データのリストを作成し、作成した画像データのリストをインタフェース回路５５を介して電子ペーパ１へ送信する（Ｓ２１）。ＣＰＵ５１は、電子ペーパ１が送信した書込完了信号を受信すると（Ｓ２２）、選択キー２６の操作による画像の選択を待機する（Ｓ２３）。ＣＰＵ５１は、図７に示すように、各画像データＤｉと関連付けてそれぞれの画像データＤｉのそれまでの累積的な表示回数Ｍｉをメモリ５２内の回数記憶領域５２ｂに記憶しており、表示回数Ｍｉが選択キー２６の操作によって選択された画像データＤｉに設定された表示の許可回数Ｐｉを超えているか否かを判定し（Ｓ２４）、超えていない場合は選択キー２６の操作によって選択された画像データＤｉを送信する（Ｓ２５）。ＣＰＵ５１は、送信した画像データについて電子ペーパ１が送信した書込完了信号を受信すると（Ｓ２６）、変数Ｍｉに“１”を加算してＳ２１の処理に戻る。また、ＣＰＵ５１は、Ｓ２４において、表示回数Ｍｉがすでに許可回数Ｐｉに達していると判定した場合、「画像データＤｉはすでに許可回数表示したため表示できません。」という旨の表示を行なう情報を送信し（Ｓ２８）、電子ペーパ１が送信した書込完了信号を受信すると（Ｓ２９）、Ｓ２１の処理に戻る。
【００５１】
上述のような処理によって、メモリクリップ２に記憶されている画像データのリストが電子ペーパ１の表示画面１２に表示される。使用者は、電子ペーパ１に表示されている画像データのリストを参照して電子ペーパ１に表示させるべき１枚の画像を、メモリクリップ２の選択キー２６の操作によって選択する。選択キー２６の操作によって使用者が所望した画像の画像データが選択されると、選択された画像データが、未だ許可された回数だけ表示されていない場合は、その画像データが電子ペーパ１に送信され、その画像が電子ペーパ１の表示画面１２に表示される。また、選択された画像データがすでに許可された回数だけ表示済みである場合は、その画像データに基づく画像を表示できない旨の情報が電子ペーパ１に送信され、電子ペーパ１の表示画面１２に表示される。
【００５２】
したがって、各画像データは、それぞれに設定された許可回数Ｐｉを超えて電子ペーパ１に送信され表示されることがなく、電子ペーパ１を恰も紙のように扱いながら電子ペーパ１に表示すべき画像データごとの機密性を高めることができる。
【００５３】
図８は、他の実施形態に係るメモリクリップの画像データ送信処理の詳細を示すフローチャートである。図９は、メモリ領域５２ａに記憶される画像データの表示条件の他の一例を示す図である。
【００５４】
この実施形態では、メモリクリップ２は、現在時刻を取得するためのクロック５８を備える。クロック５８は、この発明のクロック手段に相当する。また、画像データＤｉの表示条件として、各画像データＤｉの表示を許可する許可開始期限Ｓｉ及び許可終了期限Ｔｉが画像データＤｉごとに設定され、メモリ領域５２ａに記憶されている。ＣＰＵ５１は、年月日を示す現在時刻Ｎをクロック５８から取得し、現在時刻Ｎと許可開始期限Ｓｉ及び許可終了期限Ｔｉとを比較し（Ｓ３１）、現在時刻Ｎが許可開始期限Ｓｉと許可終了期限Ｔｉとの範囲内である画像データ、すなわち、表示可能な画像データがあるか否かを判定し（Ｓ３２）、表示可能な画像データがある場合はその画像データのリストをインタフェース回路５５を介して電子ペーパ１へ送信する（Ｓ３３）。ＣＰＵ５１は、電子ペーパ１が送信した書込完了信号を受信すると（Ｓ３４）、選択キー２６の操作による画像の選択を待機する（Ｓ３５）。ＣＰＵ５１は、選択キー２６の操作によって選択された画像データＤｉを送信し（Ｓ３６）、送信した画像データについて電子ペーパ１が送信した書込完了信号を受信すると（Ｓ３７）、Ｓ３１の処理に戻る。
【００５５】
ＣＰＵ５１は、Ｓ３２において、表示可能な画像データがないと判定した場合、「表示可能な画像データがありません。」という旨の表示を行なう情報を送信し（Ｓ３８）、電子ペーパ１が送信した書込完了信号を受信すると（Ｓ２９）、Ｓ３１の処理に戻る。
【００５６】
上述のような処理によって、予め設定された表示条件を満たす画像データのリストが電子ペーパ１の表示画面１２に表示される。使用者は、電子ペーパ１に表示されている画像データのリストを参照して電子ペーパ１に表示させるべき１枚の画像を、メモリクリップ２の選択キー２６の操作によって選択する。選択キー２６の操作によって使用者が所望した画像の画像データが選択されると、その画像データが電子ペーパ１に送信され、送信された画像データに基づく画像が電子ペーパ１の表示画面１２に表示される。また、表示条件を満たす画像データがない場合は、表示可能な画像データがない旨の情報が電子ペーパ１に送信され、電子ペーパ１の表示画面１２に表示される。
【００５７】
したがって、各画像データは、それぞれに設定された期間外に電子ペーパ１に送信され表示されることがなく、これによっても電子ペーパ１を恰も紙のように扱いながら電子ペーパ１に表示すべき画像データごとの機密性を高めることができる。
【図面の簡単な説明】
【００５８】
【図１】この発明の実施形態に係る記録媒体とともに画像表示システムを構成する電子ペーパの平面図である。
【図２】上記画像表示システムを構成する記録媒体であるメモリクリップを示す図であり、（Ａ）はメモリクリップの前面図であり、図２（Ｂ）及び（Ｃ）はそれぞれ図２（Ａ）におけるＸ１−Ｘ２部分及びＹ１−Ｙ２部分の側面断面図である。
【図３】上記画像表示システムの構成を示すブロック図である。
【図４】上記画像表示システムにおける画像データの伝送手順を示すフローチャートであり、（Ａ）はメモリクリップにおける処理手順を示し、（Ｂ）は電子ペーパにおける処理手順を示す。
【図５】上記画像表示システムに適用される電子ペーパの別の例を示す平面図である。
【図６】上記画像表示システムにおけるメモリクリップの画像データ送信処理の詳細を示すフローチャートである。
【図７】表示条件の一例を示す図である。
【図８】他の実施形態に係るメモリクリップの画像データ送信処理の詳細を示すフローチャートである。
【図９】表示条件の他の一例を示す図である。
【符号の説明】
【００５９】
１  電子ペーパ
２  メモリクリップ（記録媒体）
３  画像処理装置（外部装置）
１１  表示画面（表示部）
１２  周縁部
１３  アンテナ（受信手段）
２１  本体
２２  把持体
２７  ＵＳＢ端子（入力手段）
２９  スイッチ（検出手段）
３０  アンテナ（送信手段）
４１  ＣＰＵ（画像表示手段）
４３  インタフェース回路（受信手段）
４４  表示制御回路（画像表示手段）
５１  ＣＰＵ（制御手段）
５２  メモリ（第１のメモリ）
５２ａ  メモリ領域（第２のメモリ）
５２ｂ  回数記憶領域（計数手段）
５４  インタフェース回路（入力手段）
５５  インタフェース回路（送信手段）
５８  クロック（クロック手段）
【図１】
2006017907.tif 000003
【図２】
2006017907.tif 000004
【図３】
2006017907.tif 000005
【図４】
2006017907.tif 000006
【図５】
2006017907.tif 000007
【図６】
2006017907.tif 000008
【図７】
2006017907.tif 000009
【図８】
2006017907.tif 000010
【図９】
2006017907.tif 000011